(57)【要約】この発明は、娯楽電子機器用筐体に関する。娯楽電子機器用の透明および／または不透明な筐体（２０）において、この娯楽電子機器を接続するための導電性の構成部分（２２）は、この導電性の構成部分がそこに有るとは気付かれないような形で、筐体（２０）と一体化されている。
2005524422.tif 000002
【特許請求の範囲】
【請求項１】
娯楽電子機器用筐体であって、娯楽電子機器が、透明および／または不透明な材料から構成される筐体において、
この娯楽電子機器（１）用筐体（１０，２０，３０）が、この娯楽電子機器（１）の接続ケーブル（４０）を接続するための導電性の構成部分（２２；２３；２４；２５）を有し、その際この導電性の構成部分（２２；２３；２４；２５）が、そこに有るとは気付かれないことを特徴とする筐体。
【請求項２】
導電性の構成部分（２２）が、透明であることを特徴とする請求項１に記載の筐体。
【請求項３】
導電性の構成部分（２２）が、インジウム・錫酸化物から構成されることを特徴とする請求項２に記載の筐体。
【請求項４】
導電性の構成部分（２３）が、部分的に透明であることを特徴とする請求項１に記載の筐体。
【請求項５】
導電性の構成部分（２３）が、薄い金属膜から構成されることを特徴とする請求項４に記載の筐体。
【請求項６】
当該の薄い金属膜（２３）が、金および／または銀および／または銅および／またはアルミニウムから構成されることを特徴とする請求項５に記載の筐体。
【請求項７】
導電性の構成部分（２４；２５）が、少なくとも筐体（１０；２０；３０）の一部の構成要素であることを特徴とする請求項１に記載の筐体。
【請求項８】
導電性の構成部分（２４；２５）が、帯状体または糸状体として構成されることを特徴とする請求項７に記載の筐体。
【請求項９】
当該の帯状体または糸状体（２４；２５）が、金属から、特に金および／または銀および／または銅および／またはアルミニウムから構成されることを特徴とする請求項８に記載の筐体。
【請求項１０】
導電性の構成部分（２５）が、格子として構成されることを特徴とする請求項７から９までのいずれか一つに記載の筐体。
【請求項１１】
導電性の構成部分（２２；２３；２４；２５）が、筐体（１０，２０，３０）の内部に有り、かつ筐体（１０，２０，３０）が、少なくとも導電性の構成部分（２２；２３；２４；２５）の領域において、絶縁体として構成されることを特徴とする請求項１から１０までのいずれか一つに記載の筐体。
【請求項１２】
導電性の構成部分（２２；２３；２４；２５）が、互いに並行に延びることを特徴とする請求項１から１１までのいずれか一つに記載の筐体。
【請求項１３】
導電性の構成部分（２２；２３；２４；２５）が、筐体（１０，２０，３０）の外縁に対して並行に延びることを特徴とする請求項１から１２までのいずれか一つに記載の筐体。
【請求項１４】
導電性の構成部分（２２；２３；２４；２５）が、筐体（１０，２０，３０）の外縁に対して斜めに延びることを特徴とする請求項１から１２までのいずれか一つに記載の筐体。
【請求項１５】
導電性の構成部分（２２；２３；２４；２５）が、接点（２６；２８）を用いて接続可能であることを特徴とする請求項１から１４までのいずれか一つに記載の筐体。
【請求項１６】
当該の接点（２６；２８）が、筐体（１０，３０）の領域内に延び、そこでは目に見えないことを特徴とする請求項１５に記載の筐体。
【請求項１７】
筐体（１０，２０，３０）が、複数の部分から成る、分離可能な筐体（１０，２０，３０）として形成され、かつ導電性の構成部分（２２；２３；２４；２５）と娯楽電子機器（１）間において分離可能な電気的な結合を形成するために、電気的な結合部、特に差込みプラグまたは分離可能な接続導線を備えることを特徴とする請求項１から１６までのいずれか一つに記載の筐体。
【発明の詳細な説明】
【技術分野】
【０００１】
この発明は、娯楽電子機器用筐体に関する。
【背景技術】
【０００２】
例えば、透明な材料から成る娯楽電子機器用筐体が知られている。更に、複数の筐体部分、例として、本来の娯楽電子機器が有する第一の筐体部分と、例えばこの第一の筐体部分をその動作に必要な位置に取り付けるための下部構造として使用される第二の筐体部分とを備えた娯楽電子機器用筐体が知られている。
【０００３】
しかし、これらの周知の娯楽電子機器用筐体は、例えば電源ケーブル、アンテナ、スピーカなどの接続が面倒であるという欠点を有する。更に、これらの接続に使用されるケーブルによって、娯楽電子機器の全体の外観が損なわれる可能性がある。別の問題は、複数の部分から成る筐体または筐体の上方部分との接続に関与する下方部分を持つ筐体で現れ、それは、この場合、あちこちに垂れたケーブルが、事故の大きな危険となるためである。
【発明の開示】
【発明が解決しようとする課題】
【０００４】
以上のことから、この発明の課題は、所要の接続ケーブルを筐体または娯楽電子機器に問題無く接続することが可能である、娯楽電子機器用筐体を提供することである。
【課題を解決するための手段】
【０００５】
この発明において、この課題は、請求項１の特徴により解決される。
【０００６】
この場合、娯楽電子機器用の透明および／または不透明な筐体が、この娯楽電子機器を接続するための導電性の構成部分を有し、その際この導電性の構成部分が、そこに有るとは気付かれないということが基本となっている。
【発明の効果】
【０００７】
この発明の利点は、娯楽電子機器の接続に必要な構成部分が、筐体に含まれており、その結果娯楽電子機器を簡単に接続できるということにある。更に、これらの接続に必要な構成部分は、それらが目には見えないか、あるいは筐体と一体化されて、そこに有ることを気付かれないので、外観を損なうものとは感じられない。その上、接続ケーブルがあちこちに垂れるのを回避することにより、場合によっては起こり得る事故の危険が無くなることである。
【発明を実施するための最良の形態】
【０００８】
この発明の別の利点は、従属請求項ならびに以下における図面にもとづくこの発明による娯楽電子機器用筐体の実施構成の記述から明らかとなる。
【０００９】
この発明の理解を容易にするために、図面では、この発明に関して意味の有る構成部分だけが描かれている。異なる図面における同種の構成部分は、同じ符号を有する。
【００１０】
図１では、娯楽電子機器１の筐体１０，２０，３０が描かれている。ここに描かれた例では、娯楽電子機器１は、テレビ装置であり、ディスプレイ、電子回路などのテレビ装置の本来の構成部品を持つ第一の筐体部分１０、第二の筐体部分２０、例えば下部構造ならびに脚部３０から構成されている。筐体の別の解決法および別の娯楽電子機器用の筐体の解決法が可能である。けれども、筐体１０，２０，３０またはそれらの一部、特に第二の筐体部分２０は、透明および／または不透明な材料から製作されている。このためには、特にガラス、乳白ガラス、曇りガラス、アクリルガラスなどが好適である。
【００１１】
符号４１を付けた接続ケーブルは、接続ケーブル４１が第一の筐体部分１０と接続された、従来の技術で周知の状態を示しており、例えば事故の危険が高いなどの始めに述べた周知の欠点を有する。
【００１２】
符号４０を付けた接続ケーブルは、接続ケーブル４０が例えば脚部３０と接続された、この発明にもとづく状態を示している。同様に、接続ケーブルを第二の筐体部分２０と直接接続することも可能であり、この接続は、有利には、その底部の領域、すなわち脚部３０の高さで行われる。例に示した単一の接続ケーブル４０の代わりに、例えば、電源供給、アンテナ、スピーカなどのための別の接続ケーブルを、脚部３０および／または第二の筐体部分２０に接続することができる。
【００１３】
図２では、図１の第二の筐体部分２０のこの発明による第一の実施構成が描かれている。この第二の筐体部分２０は、導電性の構成部分２２を有し、これらの構成部分は、一方では、例えば脚部３０を介して、あるいは直接に接続ケーブル４０と接続されるとともに、他方では、第一の筐体部分１０内の娯楽電子機器１と接続されている。
【００１４】
導電性の構成部分２２は、透明であり、そのため気付かれることはない。導電性の構成部分２２に対しては、特に、例えば帯状導体様の構造で取り付けたインジウム・錫酸化物が好適である。有利には、導電性の構造部分２２は、第二の筐体部分２０の内部にある、第二の筐体部分２０の表面に取り付けて、それに対して、例えば二つの板ガラスを互いに接合することができる。そうすることによって、例えば電圧を供給する場合に、導電性の構成部分が、高い電位にある時に、導電性の構成部分２２に触れることにより起こる可能性のある危険が防止される。
【００１５】
各接続を実施するための要件を満たすために、導電性の構成部分２２を、帯状導体様の構造の幅とその相互間隔に対して適合させることができる。例えば、電源供給に対しては、より大きな相互間隔を持つ幅の広い導電性の構造部分２２を使用して、一方では、より大きな電流を流すことを可能とし、他方では、電圧のフラッシュオーバーを防止する。
【００１６】
図３では、図１の第二の筐体部分２０のこの発明による第二の実施構成が描かれている。この第二の筐体部分２０は、導電性の構造部分２３を有し、これらの構造部分は、一方では、例えば脚部３０を介して、あるいは直接に接続ケーブル４０と接続されるとともに、他方では、第一の筐体部分１０内の娯楽電子機器１と接続されている。
【００１７】
導電性の構造部分２３は、部分的に透明であり、少なくとも第二の筐体部分２０の構造の構成部分を形成している。そのため、導電性の構成部分２３は、この筐体の外観に適合しているので、気付かれることはない。導電性の構成部分２３に対しては、特に帯状導体様の構造の非常に薄い膜として取り付けられた金属、例えば銀、金、銅、アルミニウムが好適である。有利には、導電性の構造部分２３は、第二の筐体部分２０の内部にある、第二の筐体部分２０の表面に、例えば蒸着により取り付けて、それに対して、例えば二つの板ガラスを互いに接合することができる。そうすることによって、例えば電圧を供給する場合に、導電性の構成部分が、高い電位にある時に、導電性の構成部分２３に触れることにより起こる可能性のある危険が防止される。
【００１８】
各接続を実施するための要件を満たすために、導電性の構成部分２３を、帯状導体様の構造の幅とその相互間隔に対して適合させることができる。例えば、電源供給に対しては、より大きな相互間隔を持つ幅の広い導電性の構造部分２３を使用して、一方では、より大きな電流を流すことを可能とし、他方では、電圧のフラッシュオーバーを防止する。しかし、一様な外観を崩さないためには、導電性の構成部分２３を同じ幅と同じ間隔を持つ帯状導体として実現するのが有利である。この場合、帯状導体間の間隔は、一般的に確実に電気絶縁するのに十分であり、人間の目では、もはや区別できず、そうすることにより特に均一な外観となる。電気的な要件が求められる場合には、帯状導体２３の幾つかを一つの導体に統合することができる。この場合、対応する帯状導体は、例えば第一のケーブ部分１０と脚部３０の領域において、その上と下の端部を互いに電気を通す形で結合され、その結果これらの結合は、目には見えないこととなる。同様に、帯状導体２３間の間隔が絶縁するのに不十分である場合に、帯状導体２３の一つまたは幾つかを接続目的に使用しないようにすることができる。
【００１９】
図４では、図１の第二の筐体部分２０のこの発明による第三の実施構成が描かれている。この第二の筐体部分２０は、導電性の構造部分２４を有し、これらの構造部分は、一方では、接点２６により、例えば脚部３０を介して、あるいは直接に接続ケーブル４０と接続されるとともに、他方では、接点２６’により、第一の筐体部分１０内の娯楽電子機器１と接続されている。
【００２０】
導電性の構造部分２４は、目に見えるとともに、少なくとも第二の筐体部分２０の構造の構成部分を形成している。そのため、導電性の構成部分２４は、この筐体の外観の構成部分となっているので、気付かれることはない。導電性の構成部分２４に対しては、特に帯状導体様の構造で取り付けられた金属、例えば銀、金、銅、アルミニウムが好適である。有利には、導電性の構造部分２４は、第二の筐体部分２０の内部にある、第二の筐体部分２０の表面に、例えば金属被膜した表面のエッチングにより、あるいは導電性の帯状体の印刷または貼り付けにより取り付けて、それに対して、例えば二つの板ガラスを互いに接合することができる。そうすることによって、例えば電圧を供給する場合に、導電性の構成部分が、高い電位にある時に、導電性の構成部分２４に触れることにより起こる可能性のある危険が防止される。同様に、導電性の構成部分２４は、筐体２０の材料内に、電気導体、例えば金属性の糸状体を埋め込むことにより作ることができる。有利には、導電性の構成部分２４は、細く作るものと規定される。
【００２１】
各接続を実施するための要件を満たすために、導電性の構成部分２４は、その上と下の端部を、既に述べた接点２６，２６’と電気を通す形で互いに接続される。この接続は、例えば第一の筐体部分１０と脚部３０の領域において行い、その結果これらの結合を、目には見えないようにすることができる。導電性の構成部分２４相互の絶縁を確実に行うために、導電性の構成部分２４間の間隔を十分にとるか、導電性の構成部分２４の一つまたは幾つかを接続目的に使用しないようにすることができる。
【００２２】
図５では、図１の第二の筐体部分２０のこの発明による第四の実施構成が描かれている。この第二の筐体部分２０は、導電性の構造部分２５を有し、これらの構造部分は、一方では、接点２８により、例えば脚部３０を介して、あるいは直接に接続ケーブル４０と接続されるとともに、他方では、接点２８’により、第一の筐体部分１０内の娯楽電子機器１と接続されている。
【００２３】
図５の実施構成は、図４の実施構成の変化形態であり、その際図５の導電性の構造部分２５は、導電率を高めるために、格子構造に形成されている。その他の点に関しては、図５の実施構成を実現するのは、図４の実施構成と同じである。
【００２４】
各接続を実施するための要件を達成するために、対応する格子面は、その上と下の端部を、接点２８，２８’と電気を通す形で互いに接続されている。この接続は、例えば第一の筐体部分１０と脚部３０の領域において行い、その結果これらの結合を、目には見えないようにすることができる。導電性の構成部分２５相互の絶縁を確実に行うために、一個所または数箇所において、この格子構造を切り離す２７ことにより、導電性の構成部分２５間の間隔を十分にとることができる。
【００２５】
複数の部分から成る、分離可能な筐体を使用する場合、例えば第一の筐体部分１０と第二の筐体部分２０から成り、その際これらの筐体部分１０と２０が分離可能な形で結合されている場合、これらの筐体部分１０と２０間に、相応の結合部、例えば差込みプラグ、分離可能な接続導線などを備えるものと規定することができる。この場合、これらの結合部を用いて、第二の筐体部分２０の導電性の構成部分２２，２３，２４，２５は、第一の筐体部分１０内の娯楽電子機器１と接続される。
【００２６】
ここで述べた例では、導電性の構成部分２２〜２５は、筐体２０の外縁の中の二つに対して並行に延びているが、明らかに導電性の構成部分２２〜２５を、筐体２０のこれらの外縁に対して斜めにおよび／または真っ直ぐに延びない形で配置することも可能である。しかし、導電性の構成部分２２〜２５を互いに並行に延びるようにするのが有利である。
【図面の簡単な説明】
【００２７】
【図１】娯楽電子機器用筐体
【図２】図１の筐体の一部におけるこの発明による第一の実施構成
【図３】図１の筐体の一部におけるこの発明による第二の実施構成
【図４】図１の筐体の一部におけるこの発明による第三の実施構成
【図５】図１の筐体の一部におけるこの発明による第四の実施構成
【符号の説明】
【００２８】
１    娯楽電子機器
１０    第一の筐体部分
２０    第二の筐体部分
２２，２３，２４，２５    導電性の構成部分
２６，２６’    接点
２７    切り離し部
２８，２８’    接点
３０    脚部（第三の筐体部分）
４０    この発明による状態での接続ケーブル
４１    従来の技術による状態での接続ケーブル
【図１】
2005524422.tif 000003
【図２】
2005524422.tif 000004
【図３】
2005524422.tif 000005
【図４】
2005524422.tif 000006
【図５】
2005524422.tif 000007
【手続補正書】
【提出日】平成16年1月9日(2004.1.9)
【手続補正１】
【補正対象書類名】特許請求の範囲
【補正対象項目名】全文
【補正方法】変更
【補正の内容】
【特許請求の範囲】
【請求項１】
娯楽電子機器（１）用の筐体（１０，２０，３０）であって、この娯楽電子機器が、透明および／または不透明な材料から構成され、この筐体が、この娯楽電子機器（１）の接続ケーブル（４０）を接続するための導電性の構成部分（２２；２３；２４；２５）を有し、その際この導電性の構成部分（２２；２３；２４；２５）が、そこに有るとは気付かれない筐体において、
導電性の構成部分（２２）が、透明であるか、または導電性の構成部分（２３）が、部分的に透明であり、筐体（１０，２０，３０）が、複数の部分から成る、分離可能な筐体（１０，２０，３０）として形成されるとともに、導電性の構成部分（２２；２３；２４；２５）と娯楽電子機器（１）間において分離可能な電気的な結合を形成するために、電気的な結合部、特に差込みプラグまたは分離可能な接続導線を備えることを特徴とする筐体。
【請求項２】
導電性の構成部分（２２）が、インジウム・錫酸化物から構成されることを特徴とする請求項１に記載の筐体。
【請求項３】
導電性の構成部分（２３）が、薄い金属膜から構成される、および／またはこの薄い金属膜（２３）が、金および／または銀および／または銅および／またはアルミニウムから構成されることを特徴とする請求項１に記載の筐体。
【請求項４】
導電性の構成部分（２４；２５）が、少なくとも筐体（１０；２０；３０）の一部の構成要素である、および／または導電性の構成部分（２４；２５）が、帯状体または糸状体として構成される、および／またはこの帯状体または糸状体（２４；２５）が、金属から、特に金および／または銀および／または銅および／またはアルミニウムから構成されることを特徴とする請求項１に記載の筐体。
【請求項５】
導電性の構成部分（２５）が、格子として構成されることを特徴とする請求項４に記載の筐体。
【請求項６】
導電性の構成部分（２２；２３；２４；２５）が、筐体（１０，２０，３０）の内部に有り、かつ筐体（１０，２０，３０）が、少なくとも導電性の構成部分（２２；２３；２４；２５）の領域において、絶縁体として構成されることを特徴とする請求項１から５までのいずれか一つに記載の筐体。
【請求項７】
導電性の構成部分（２２；２３；２４；２５）が、互いに並行に延びることを特徴とする請求項１から６までのいずれか一つ記載の筐体。
【請求項８】
導電性の構成部分（２２；２３；２４；２５）が、筐体（１０，２０，３０）の外縁に対して並行に延びることを特徴とする請求項１から７までのいずれか一つに記載の筐体。
【請求項９】
導電性の構成部分（２２；２３；２４；２５）が、筐体（１０，２０，３０）の外縁に対して斜めに延びることを特徴とする請求項１から８までのいずれか一つに記載の筐体。
【請求項１０】
導電性の構成部分（２２；２３；２４；２５）が、接点（２６；２８）を用いて接続可能であり、これらの接点（２６；２８）が、筐体（１０，３０）の領域内に延び、そこでは目に見えないことを特徴とする請求項１から９までのいずれか一つに記載の筐体。
【手続補正２】
【補正対象書類名】明細書
【補正対象項目名】全文
【補正方法】変更
【補正の内容】
【発明の詳細な説明】
【技術分野】
【０００１】
この発明は、娯楽電子機器用筐体に関する。
【背景技術】
【０００２】
例えば、透明な材料から成る娯楽電子機器用筐体が知られている。更に、複数の筐体部分、例として、本来の娯楽電子機器が有する第一の筐体部分と、例えばこの第一の筐体部分をその動作に必要な位置に取り付けるための下部構造として使用される第二の筐体部分とを備えた娯楽電子機器用筐体が知られている。
【０００３】
しかし、これらの周知の娯楽電子機器用筐体は、例えば電源ケーブル、アンテナ、スピーカなどの接続が面倒であるという欠点を有する。更に、これらの接続に使用されるケーブルによって、娯楽電子機器の全体の外観が損なわれる可能性がある。別の問題は、複数の部分から成る筐体または筐体の上方部分との接続に関与する下方部分を持つ筐体で現れ、それは、この場合、あちこちに垂れたケーブルが、事故の大きな危険となるためである。
特許文献１により、電解質を詰めた透明な電球ソケットを持つ電灯器具が知られている。この電解質によって、ソケットにねじ込まれる電球の接触を確保している。この電解質は、それが「半透明」であるように選定されている。
特許文献２により、加熱可能な前面の円板体が開示されている。この前面の円板体には、透明な基盤層が布設されており、この層を介して電流を供給して、円板体を加熱することが可能となっている。
特許文献３により、プラスチックの筐体で構成された電子制御装置が開示されており、この筐体上には、導線が布設されている。
【特許文献１】米国特許第２，５８９，４４８号明細書
【特許文献２】国際特許公開第００／２９２０８号明細書
【特許文献３】欧州特許公開第０５２６８２１号明細書
【発明の開示】
【発明が解決しようとする課題】
【０００４】
以上のことから、この発明の課題は、所要の接続ケーブルを筐体または娯楽電子機器に問題無く接続することが可能である、娯楽電子機器用筐体を提供することである。
【課題を解決するための手段】
【０００５】
この発明において、この課題は、請求項１の特徴により解決される。
【０００６】
この場合、娯楽電子機器用の透明および／または不透明な筐体が、この娯楽電子機器を接続するための導電性の構成部分を有し、その際この導電性の構成部分が、そこに有るとは気付かれないということが基本となっている。
【発明の効果】
【０００７】
この発明の利点は、娯楽電子機器の接続に必要な構成部分が、筐体に含まれており、その結果娯楽電子機器を簡単に接続できるということにある。更に、これらの接続に必要な構成部分は、それらが目には見えないか、あるいは筐体と一体化されて、そこに有ることを気付かれないので、外観を損なうものとは感じられない。その上、接続ケーブルがあちこちに垂れるのを回避することにより、場合によっては起こり得る事故の危険が無くなることである。
【発明を実施するための最良の形態】
【０００８】
この発明の別の利点は、従属請求項ならびに以下における図面にもとづくこの発明による娯楽電子機器用筐体の実施構成の記述から明らかとなる。
【０００９】
この発明の理解を容易にするために、図面では、この発明に関して意味の有る構成部分だけが描かれている。異なる図面における同種の構成部分は、同じ符号を有する。
【００１０】
図１では、娯楽電子機器１の筐体１０，２０，３０が描かれている。ここに描かれた例では、娯楽電子機器１は、テレビ装置であり、ディスプレイ、電子回路などのテレビ装置の本来の構成部品を持つ第一の筐体部分１０、第二の筐体部分２０、例えば下部構造ならびに脚部３０から構成されている。筐体の別の解決法および別の娯楽電子機器用の筐体の解決法が可能である。けれども、筐体１０，２０，３０またはそれらの一部、特に第二の筐体部分２０は、透明および／または不透明な材料から製作されている。このためには、特にガラス、乳白ガラス、曇りガラス、アクリルガラスなどが好適である。
【００１１】
符号４１を付けた接続ケーブルは、接続ケーブル４１が第一の筐体部分１０と接続された、従来の技術で周知の状態を示しており、例えば事故の危険が高いなどの始めに述べた周知の欠点を有する。
【００１２】
符号４０を付けた接続ケーブルは、接続ケーブル４０が例えば脚部３０と接続された、この発明にもとづく状態を示している。同様に、接続ケーブルを第二の筐体部分２０と直接接続することも可能であり、この接続は、有利には、その底部の領域、すなわち脚部３０の高さで行われる。例に示した単一の接続ケーブル４０の代わりに、例えば、電源供給、アンテナ、スピーカなどのための別の接続ケーブルを、脚部３０および／または第二の筐体部分２０に接続することができる。
【００１３】
図２では、図１の第二の筐体部分２０のこの発明による第一の実施構成が描かれている。この第二の筐体部分２０は、導電性の構成部分２２を有し、これらの構成部分は、一方では、例えば脚部３０を介して、あるいは直接に接続ケーブル４０と接続されるとともに、他方では、第一の筐体部分１０内の娯楽電子機器１と接続されている。
【００１４】
導電性の構成部分２２は、透明であり、そのため気付かれることはない。導電性の構成部分２２に対しては、特に、例えば帯状導体様の構造で取り付けたインジウム・錫酸化物が好適である。有利には、導電性の構造部分２２は、第二の筐体部分２０の内部にある、第二の筐体部分２０の表面に取り付けて、それに対して、例えば二つの板ガラスを互いに接合することができる。そうすることによって、例えば電圧を供給する場合に、導電性の構成部分が、高い電位にある時に、導電性の構成部分２２に触れることにより起こる可能性のある危険が防止される。
【００１５】
各接続を実施するための要件を満たすために、導電性の構成部分２２を、帯状導体様の構造の幅とその相互間隔に対して適合させることができる。例えば、電源供給に対しては、より大きな相互間隔を持つ幅の広い導電性の構造部分２２を使用して、一方では、より大きな電流を流すことを可能とし、他方では、電圧のフラッシュオーバーを防止する。
【００１６】
図３では、図１の第二の筐体部分２０のこの発明による第二の実施構成が描かれている。この第二の筐体部分２０は、導電性の構造部分２３を有し、これらの構造部分は、一方では、例えば脚部３０を介して、あるいは直接に接続ケーブル４０と接続されるとともに、他方では、第一の筐体部分１０内の娯楽電子機器１と接続されている。
【００１７】
導電性の構造部分２３は、部分的に透明であり、少なくとも第二の筐体部分２０の構造の構成部分を形成している。そのため、導電性の構成部分２３は、この筐体の外観に適合しているので、気付かれることはない。導電性の構成部分２３に対しては、特に帯状導体様の構造の非常に薄い膜として取り付けられた金属、例えば銀、金、銅、アルミニウムが好適である。有利には、導電性の構造部分２３は、第二の筐体部分２０の内部にある、第二の筐体部分２０の表面に、例えば蒸着により取り付けて、それに対して、例えば二つの板ガラスを互いに接合することができる。そうすることによって、例えば電圧を供給する場合に、導電性の構成部分が、高い電位にある時に、導電性の構成部分２３に触れることにより起こる可能性のある危険が防止される。
【００１８】
各接続を実施するための要件を満たすために、導電性の構成部分２３を、帯状導体様の構造の幅とその相互間隔に対して適合させることができる。例えば、電源供給に対しては、より大きな相互間隔を持つ幅の広い導電性の構造部分２３を使用して、一方では、より大きな電流を流すことを可能とし、他方では、電圧のフラッシュオーバーを防止する。しかし、一様な外観を崩さないためには、導電性の構成部分２３を同じ幅と同じ間隔を持つ帯状導体として実現するのが有利である。この場合、帯状導体間の間隔は、一般的に確実に電気絶縁するのに十分であり、人間の目では、もはや区別できず、そうすることにより特に均一な外観となる。電気的な要件が求められる場合には、帯状導体２３の幾つかを一つの導体に統合することができる。この場合、対応する帯状導体は、例えば第一のケーブ部分１０と脚部３０の領域において、その上と下の端部を互いに電気を通す形で結合され、その結果これらの結合は、目には見えないこととなる。同様に、帯状導体２３間の間隔が絶縁するのに不十分である場合に、帯状導体２３の一つまたは幾つかを接続目的に使用しないようにすることができる。
【００１９】
図４では、図１の第二の筐体部分２０のこの発明による第三の実施構成が描かれている。この第二の筐体部分２０は、導電性の構造部分２４を有し、これらの構造部分は、一方では、接点２６により、例えば脚部３０を介して、あるいは直接に接続ケーブル４０と接続されるとともに、他方では、接点２６’により、第一の筐体部分１０内の娯楽電子機器１と接続されている。
【００２０】
導電性の構造部分２４は、目に見えるとともに、少なくとも第二の筐体部分２０の構造の構成部分を形成している。そのため、導電性の構成部分２４は、この筐体の外観の構成部分となっているので、気付かれることはない。導電性の構成部分２４に対しては、特に帯状導体様の構造で取り付けられた金属、例えば銀、金、銅、アルミニウムが好適である。有利には、導電性の構造部分２４は、第二の筐体部分２０の内部にある、第二の筐体部分２０の表面に、例えば金属被膜した表面のエッチングにより、あるいは導電性の帯状体の印刷または貼り付けにより取り付けて、それに対して、例えば二つの板ガラスを互いに接合することができる。そうすることによって、例えば電圧を供給する場合に、導電性の構成部分が、高い電位にある時に、導電性の構成部分２４に触れることにより起こる可能性のある危険が防止される。同様に、導電性の構成部分２４は、筐体２０の材料内に、電気導体、例えば金属性の糸状体を埋め込むことにより作ることができる。有利には、導電性の構成部分２４は、細く作るものと規定される。
【００２１】
各接続を実施するための要件を満たすために、導電性の構成部分２４は、その上と下の端部を、既に述べた接点２６，２６’と電気を通す形で互いに接続される。この接続は、例えば第一の筐体部分１０と脚部３０の領域において行い、その結果これらの結合を、目には見えないようにすることができる。導電性の構成部分２４相互の絶縁を確実に行うために、導電性の構成部分２４間の間隔を十分にとるか、導電性の構成部分２４の一つまたは幾つかを接続目的に使用しないようにすることができる。
【００２２】
図５では、図１の第二の筐体部分２０のこの発明による第四の実施構成が描かれている。この第二の筐体部分２０は、導電性の構造部分２５を有し、これらの構造部分は、一方では、接点２８により、例えば脚部３０を介して、あるいは直接に接続ケーブル４０と接続されるとともに、他方では、接点２８’により、第一の筐体部分１０内の娯楽電子機器１と接続されている。
【００２３】
図５の実施構成は、図４の実施構成の変化形態であり、その際図５の導電性の構造部分２５は、導電率を高めるために、格子構造に形成されている。その他の点に関しては、図５の実施構成を実現するのは、図４の実施構成と同じである。
【００２４】
各接続を実施するための要件を達成するために、対応する格子面は、その上と下の端部を、接点２８，２８’と電気を通す形で互いに接続されている。この接続は、例えば第一の筐体部分１０と脚部３０の領域において行い、その結果これらの結合を、目には見えないようにすることができる。導電性の構成部分２５相互の絶縁を確実に行うために、一個所または数箇所において、この格子構造を切り離す２７ことにより、導電性の構成部分２５間の間隔を十分にとることができる。
【００２５】
複数の部分から成る、分離可能な筐体を使用する場合、例えば第一の筐体部分１０と第二の筐体部分２０から成り、その際これらの筐体部分１０と２０が分離可能な形で結合されている場合、これらの筐体部分１０と２０間に、相応の結合部、例えば差込みプラグ、分離可能な接続導線などを備えるものと規定することができる。この場合、これらの結合部を用いて、第二の筐体部分２０の導電性の構成部分２２，２３，２４，２５は、第一の筐体部分１０内の娯楽電子機器１と接続される。
【００２６】
ここで述べた例では、導電性の構成部分２２〜２５は、筐体２０の外縁の中の二つに対して並行に延びているが、明らかに導電性の構成部分２２〜２５を、筐体２０のこれらの外縁に対して斜めにおよび／または真っ直ぐに延びない形で配置することも可能である。しかし、導電性の構成部分２２〜２５を互いに並行に延びるようにするのが有利である。
【図面の簡単な説明】
【００２７】
【図１】娯楽電子機器用筐体
【図２】図１の筐体の一部におけるこの発明による第一の実施構成
【図３】図１の筐体の一部におけるこの発明による第二の実施構成
【図４】図１の筐体の一部におけるこの発明による第三の実施構成
【図５】図１の筐体の一部におけるこの発明による第四の実施構成
【符号の説明】
【００２８】
１    娯楽電子機器
１０    第一の筐体部分
２０    第二の筐体部分
２２，２３，２４，２５    導電性の構成部分
２６，２６’    接点
２７    切り離し部
２８，２８’    接点
３０    脚部（第三の筐体部分）
４０    この発明による状態での接続ケーブル
４１    従来の技術による状態での接続ケーブル
【国際調査報告】
2005524422.tif 000008
2005524422.tif 000009
2005524422.tif 000010
2005524422.tif 000011
2005524422.tif 000012
2005524422.tif 000013